(57)【要約】【課題】上積みし難い商品の陳列に好適であって、積み重ね使用しても左右の陳列空間を制限することのない商品陳列ケースを提供すること。【解決手段】左右両側面及び前側面が開口したコ字状断面を有する陳列ケース本体１と、陳列ケース本体１の内側空間を前後方向で２分する前方区画３２又は後方区画３１に左右方向移動自在に嵌合される支持体２を備える商品陳列ケース。【選択図】        図１
2004283453.tif 000002
【特許請求の範囲】
【請求項１】
左右両側面及び前側面が開口したコ字状断面を有する陳列ケース本体と、該陳列ケース本体の内側空間に左右方向移動自在に嵌合される第１支持体を備えることを特徴とする商品陳列ケース。
【請求項２】
左右両側面及び前側面が開口したコ字状断面を有する陳列ケース本体と、該陳列ケース本体の内側空間を前後方向で２分する前方区画又は後方区画に左右方向移動自在に嵌合される第２支持体を備えることを特徴とする商品陳列ケース。
【請求項３】
前記第２支持体を２個以上用い、前記前方区画に少なくとも１個、前記後方区画に少なくとも１個を用いることを特徴とする請求項２記載の商品陳列ケース。
【請求項４】
前記陳列ケース本体と前記第１支持体又は第２支持体の嵌合は、左右方向に延出する突起状レールと、該突起状レールが嵌るレール溝で行なわれることを特徴とする請求項１〜３のいずれか１項記載の商品陳列ケース。
【請求項５】
前記陳列ケース本体及び前記第１支持体又は第２支持体が透明な樹脂製であることを特徴とする請求項１〜４のいずれか１項記載の商品陳列ケース。
【請求項６】
請求項１〜５のいずれか１項に記載の商品陳列ケースの複数個を上下に積み重ねて使用することを特徴とする商品陳列ケース。
【発明の詳細な説明】
【０００１】
【発明の属する技術分野】
本発明は、主にスーパー、百貨店、専門店、コンビニエンスストアー等の店内で商品を陳列するのに用いられ、特に上積みし難い商品の陳列に好適な商品陳列ケースに関するものである。
【０００２】
【従来の技術】
従来、イチゴパックや桃パックなどの上積みし難い商品の陳列方法としては、ひな壇形状の商品陳列棚に上積みすることなく載置して陳列する方法、あるいは前方が開口し上下板と両側板で囲まれる透明なケースを積み重ねて、該ケース毎に商品を陳列する方法が採られている。この商品陳列方法によれば、イチゴパックや桃パックなどを実質上積みすることなく陳列することができる。
【０００３】
【発明が解決しようとする課題】
しかしながら、上積みし難い商品をひな壇形状の商品陳列棚に載置して陳列する方法は、その陳列された商品の上方空間が利用できないことから、多くの陳列空間を必要とする。また、両側板で囲まれる透明なケースを積み重ねて、該ケース毎に商品を陳列する方法は、陳列された商品の上方空間は上積みされるため有効利用できるものの、積み重ねに伴う重量を支持するための側板が、今度は左右方向における陳列空間を制限するという問題がある。
【０００４】
従って、本発明の目的は、上積みし難い商品の陳列に好適であって、積み重ね使用しても左右の側板部材などで陳列空間を制限することのない商品陳列ケースを提供することにある。
【０００５】
【課題を解決するための手段】
かかる実情において、本発明者らは鋭意検討を行なった結果、従来の積み重ね陳列ケースの左右両側面を開口したコ字状断面を有する陳列ケース本体と、該陳列ケース本体の内側空間を前後方向で２分する前方区画又は後方区画に左右方向移動自在に嵌合される支持体を備える商品陳列ケースであれば、左右両側が開口しているため、左右の陳列空間が制限されることがないこと、積み重ね陳列ケースと陳列商品の総重量に応じて支持体の嵌合位置を調整できると共に、該支持体が陳列商品を区画する商品仕切り機能を有することなどを見出し、本発明を完成するに至った。
【０００６】
すなわち、本発明（１）は、左右両側面及び前側面が開口したコ字状断面を有する陳列ケース本体と、該陳列ケース本体の内側空間に左右方向移動自在に嵌合される第１支持体を備える商品陳列ケースを提供するものである。本発明（２）は、左右両側面及び前側面が開口したコ字状断面を有する陳列ケース本体と、該陳列ケース本体の内側空間を前後方向で２分する前方区画又は後方区画に左右方向移動自在に嵌合される支持体を備える商品陳列ケースを提供するものである。
積み重ね陳列ケースと陳列商品の総重量が大きい場合、第１支持体を使用するか、あるいは第２支持体を陳列ケース本体の前方区画に位置させれば、支持力が高まる。一方、積み重ね陳列ケースと陳列商品の総重量が小さい場合、第２支持体を陳列ケース本体の後方区画に位置させれば、載置物を十分支持できると同時に、陳列ケース本体支持体の内側の商品陳列空間を広く出来る。また、商品陳列ケースの左右両側が開口しているため、左右の陳列空間が制限されることがなく広く使える。また、支持体を商品仕切り部材として利用することもできる。
【０００７】
また、本発明（３）は、前記第２支持体を２個以上用い、前記前方区画に少なくとも１個、前記後方区画に少なくとも１個を用いる前記商品陳列ケースを提供することにある。左右方向に長く、且つ載置場所により載置物重量が異なるような場合、載置場所に応じた重量支持を行なうことができると共に、陳列の演出効果を高めることができる。本発明（４）は、前記陳列ケース本体と前記第１支持体又は第２支持体の嵌合は、左右方向に延出する突起状レールと、該突起状レールが嵌るレール溝で行なわれる前記商品陳列ケースを提供するものである。これによれば、第１支持体又は第２支持体の抜き差しを左右の開口から円滑に行うことが出来る。また、使用時に第１支持体又は第２支持体が陳列ケース本体から脱落することがない。
【０００８】
また、本発明（５）は、前記陳列ケース本体及び前記第１支持体又は第２支持体が透明な樹脂製である前記商品陳列ケースを提供するものである。これによれば、積み重ね陳列を行なっても、すべての陳列商品がどの角度からでも見える。
【０００９】
また、本発明（６）は、前記商品陳列ケースの複数個を上下に積み重ねて使用する商品陳列ケースを提供するものである。これによれば、例えば下方側の商品陳列ケースは、第１支持体を陳列ケース本体の前方区画に位置させ、上方側の商品陳列ケースは、第１支持体を陳列ケース本体の後方区画に位置させれば、載置物の重量、すなわち支持力に応じた陳列形態を採ることができ、その結果、変化のある商品陳列形態を演出できる。
【００１０】
【発明の実施の形態】
次に本発明の第１の実施の形態における商品陳列ケースを図１及び図２を参照して説明する。図１は本例の商品陳列ケースの斜視図、図２は図１の右側面図である。商品陳列ケース１０ａは、左右両側面及び前側面が開口したコ字状断面を有する陳列ケース本体１と、陳列ケース本体１の内側空間３を前後方向で２分する前方区画３２又は後方区画３１に左右方向移動自在に嵌合される第２支持体２を備えるものである。
【００１１】
コ字状断面の陳列ケース本体１は、天板１１、後方板１２及び底板１３から構成される透明な樹脂製である。天板１１、後方板１２及び底板１３のサイズは、陳列商品、陳列量及び商品陳列ケースの設置場所などにより適宜の寸法が選択される。天板１１の裏面奥には左右方向に延出する第１天板突起状レール１１１が付設され、天板１１の裏面中央には左右方向に延出する第２天板突起状レール１１２が付設され、天板１１の裏面前には左右方向に延出する第３天板突起状レール１１３が付設されている。また、底板１３の上面奥には左右方向に延出する第１底板突起状レール１３１が付設され、底板１３の上面中央には左右方向に延出する第２底板突起状レール１３２が付設され、底板１３の上面前には左右方向に延出する第３底板突起状レール１３３が付設されている。また、底板１３の裏面後方縁には後方脚１３４が、裏面前方縁には前方脚１３５が左右方向に延在するようにそれぞれ付設されている。陳列ケース本体１の内側空間３における前方区画３２と後方区画３１の区画境界は、第２天板突起状レール１１２と第２底板突起状レール１３２とを結ぶラインである。
【００１２】
第２支持体２はコ字状断面の枠体２１と、枠体２１の中央に付設される縦板状の補強板２２からなる。コ字状断面の枠体２１は、天板２１１、後方板２１２及び底板２１３から構成される透明な樹脂製である。天板２１１、後方板２１２及び底板２１３のサイズは、支える重量などにより適宜決定される。天板２１１及び底板２１３の横幅は広いほど、商品や積み重ねられる商品陳列ケースを支持する支持安定性が高まり、補強板２２はその厚みが厚いほど高い支持力を与えることができる。第２支持体２の前後方向の長さは、第２支持体２を陳列ケース本体１の後方区画３に設置した場合、第２支持体２の前方端が陳列ケース本体１の第２天板突起状レール１１２と第２底板突起状レール１３２の手前にくるような寸法である。第２支持体２の天板２１１の上面奥には左右方向に延出する天板係合溝２１４が付設され、底板２１３の裏面奥には左右方向に延出する底板係合溝２１５が付設されている。この第２支持体２を陳列ケース本体１の左右の開口から挿入し、第２支持体２の天板係合溝２１１と第１天板突起状レール１１１を一致させ、第２支持体２の底板係合溝２１５と第１底板突起状レール１３１を一致させ中の方に押しやれば、支持体２の後方区画３１設置型形態を採ることができる。
【００１３】
本例の商品陳列ケース１０ａによれば、これに載置される不図示の陳列ケースと陳列商品の総重量が小さい場合に好適であり、第２支持体２を陳列ケース本体１の後方区画３１に位置させれば、載置物を十分支持できると同時に、陳列ケース本体１の内側の商品陳列空間を広く出来る。また、陳列ケース本体１の左右は開口しているため、商品陳列ケース１０ａを載置する不図示の基台があれば、陳列ケース本体１の左右開口から基台に延びる商品を載置することができる。また、第２支持体２はこれを商品仕切り部材として利用することもできる。
【００１４】
次に本発明の第２の実施の形態における商品陳列ケースを図３〜図５を参照して説明する。図３は図１の商品陳列ケースの支持体を抜出した状態を示す図、図４は本例の商品陳列ケースの斜視図、図５は図４の右側面図である。図４及び図５の第２の実施の形態例の商品陳列ケース１０ｂにおいて、図１及び図２の第１の実施の形態例の商品陳列ケース１０ａと異なる点は、第２支持体２を陳列ケース本体１の前方区画３２に設置した点にある。すなわち、第２の実施の形態における商品陳列ケース１０ｂは第１の実施の形態例の商品陳列ケース１０ａと構成部材は同一であって、陳列ケース本体１における第２支持体２の嵌合位置を変えたものである。
【００１５】
第１の実施の形態例の商品陳列ケース１０ａを第２の実施の形態における商品陳列ケース１０ｂに変更するには、図３に示すように、陳列ケース本体１の右側開口３３から抜出された第２支持体２を、やや前方へ移動し、次いで陳列ケース本体１の右側開口３３から中へ挿入する。この際、第２支持体２の天板係合溝２１４と第２天板突起状レール１１２を一致させ、第２支持体２の底板係合溝２１５と第２底板突起状レール１３２を一致させ、中の方に押しやれば、支持体前方区画設置型形態を採ることができる（図４及び図５）。
【００１６】
第２の実施の形態例の商品陳列ケース１０ｂによれば、不図示の積み重ね陳列ケースと陳列商品の総重量が大きい場合、下段の商品陳列ケース１０ｂの天板１１が下方に撓むが、第２支持体２が陳列ケース本体１の前方区画に位置しているため、この下方に作用する力を十分支持することができる。また、第２支持体２はそれほど大きなものではないため、商品の陳列空間３を制限するほどではなく、むしろ商品を仕切る部材として利用できると共に、商品の陳列を演出する効果を与えることもできる。また、第１の実施の形態例の商品陳列ケースと同様に、陳列ケース本体１の左右は開口しているため、商品陳列空間が広がる。
【００１７】
本発明は上記第１の実施の形態例の商品陳列ケース１０ａの複数個、あるいは第２の実施の形態例の商品陳列ケース１０ｂの複数個又はこれらを組み合わせた複数個を上下に積み重ねて使用することができる。その組み合わせ形態の例示を図６及び図７に示す。図６は第１の組み合わせ形態例における右側面図、図７は第２の組み合わせ形態例における斜視図である。第１の組み合わせ形態例は２段重ねであり、下段が第２の実施の形態例の商品陳列ケース１０ｂ、上段が第１の実施の形態例の商品陳列ケース１０ａである。上段の商品陳列ケース１０ａの底板１３の脚部１３４、１３５が積み重ね時における係合部材として機能する。このため、下段の商品陳列ケース１０ｂの天板１１に、上段の商品陳列ケース１０ａの底板１３が係合するため、積み重ねが安定する。
【００１８】
図６の第１の組み合わせ例によれば、例えば上段の商品陳列ケース１０ａの内部空間３及び天板１１の上面に重量物を載せたとしても、下段の商品陳列ケース１０ｂは支持力の高い前方区画設置型形態であるため、商品載置安定性に優れる。また、上段の商品陳列ケース１０ａと下段の商品陳列ケース１０ｂにおける支持体２の設置位置が異なることから、外観の意匠性に優れ、商品の陳列の演出効果が期待できる。また、下段の商品陳列ケースの左右両側が開口しているため、左右の陳列スペースが広がる。
【００１９】
第２の組み合わせ形態例は２段重ねであり、下段及び上段共に、第２の実施の形態例の商品陳列ケース１０ｂを使用する。前記第１の組み合わせ形態例と同様、上段の商品陳列ケース１０ｂの底板１３の脚部１３４、１３５が積み重ね時における係合部材として機能する。このため、下段の商品陳列ケース１０ｂの天板１１に、上段の商品陳列ケース１０ｂの底板１３が係合するため、積み重ねが安定する。
【００２０】
図７の第２の組み合わせ例によれば、例えば上段の商品陳列ケース１０ｂの天板１１の上面に重量物Ａ１を載せたとしても、上段の商品陳列ケース１０ｂ及び下段の商品陳列ケース１０ｂは共に支持力の高い支持体前方区画設置型形態であるため、商品載置安定性に優れる。また、図６の第１の組み合わせ例と同様に下段の商品陳列ケースの左右両側が開口しているため、左右の陳列スペースが広がる。
【００２１】
本発明の商品陳列ケースにおいて、複数個の組み合わせ形態を更に例示すれば、下段を支持体前方設置型の商品陳列ケース１０ｂの２個〜３個を横並びで設置し、上段を支持体後方設置型の商品陳列ケース１０ａの１個〜３個又は支持体前方設置型の商品陳列ケース１０ｂの１個〜３個を横並びで設置する、積み重ね型形態あるいはピラミッド型形態が挙げられる。また、本発明の商品陳列ケースにおいて、陳列本体ケースと支持体の嵌合形態としては、上記実施の形態例に限定されず、陳列本体ケース側に係合溝を配設し、支持体側に突起状レールを配設する形態であってもよい。
【００２２】
次に本発明の第３の実施の形態における商品陳列ケースを図８を参照して説明する。図８は本例の商品陳列ケースの斜視図である。図８の第３の実施の形態例の商品陳列ケース１０ｃにおいて、図１及び図２の第１の実施の形態例の商品陳列ケース１０ａと異なる点は、第１支持体２ａを陳列ケース本体１の前方区画３２及び後方区画３１の両方に亘る空間に設置した点にある。第１支持体２ａの天板には第１天板突起状レール１１１及び第２天板突起状レール１１２に係合する２つの天板係合溝を有し、第１支持体２ａの底板には第１底板突起状レール１３１及び第２底板突起状レール１３２に係合する２つの底板係合溝を有する。第３の実施の形態における商品陳列ケース１０ｃによれば、積み重ね陳列ケースと陳列商品の総重量が大きい場合、第１支持体２ａで確実に支持できる。
【００２３】
次に本発明の第４の実施の形態における商品陳列ケースを図９を参照して説明する。図９は本例の商品陳列ケースの斜視図である。図９の第４の実施の形態例の商品陳列ケース１０ｄにおいて、図１及び図２の第１の実施の形態例の商品陳列ケース１０ａと異なる点は、一の第２支持体２を陳列ケース本体１の前方区画３２に設置し、他の第２支持体２を陳列ケース本体１の及び後方区画３１に設置した点にある。第４の実施の形態における商品陳列ケース１０ｄによれば、左右方向に長く、且つ載置場所により載置物重量が異なるような場合、載置場所に応じた重量支持を行なうことができると共に、陳列の演出効果を高めることができる。
【００２４】
【発明の効果】
本発明によれば、積み重ね陳列ケースと陳列商品の総重量が大きい場合、第１支持体を使用するか、あるいは第２支持体を陳列ケース本体の前方区画に位置させれば、支持力が高まる。一方、積み重ね陳列ケースと陳列商品の総重量が小さい場合、第２支持体を陳列ケース本体の後方区画に位置させれば、載置物を十分支持できると同時に、陳列ケース本体支持体の内側の商品陳列空間を広く出来る。また、商品陳列ケースの左右両側が開口しているため、左右の陳列空間が制限されることがなく広く使える。また、支持体を商品仕切り部材として利用することもできる。また、陳列ケース本体支持体が左右方向に長く、且つ載置場所により載置物重量が異なるような場合、載置場所に応じた重量支持を行なうことができると共に、陳列の演出効果を高めることができる。
また、本発明によれば、第１支持体又は第２支持体の抜き差しを左右の開口から円滑に行うことが出来る。また、使用時に嵌合している支持体が陳列ケース本体から脱落することがない。また、本発明によれば、積み重ね陳列を行なっても、すべての陳列商品がどの角度からでも見える。また、本発明によれば、下方側の商品陳列ケースは、例えば第２支持体を陳列ケース本体の前方区画に位置させ、上方側の商品陳列ケースは、例えば第２支持体を陳列ケース本体の後方区画に位置させれば、支持力に応じた陳列形態を採ることができ、その結果、変化のある商品陳列を演出できる。
【図面の簡単な説明】
【図１】第１の実施の形態例の商品陳列ケースの斜視図である。
【図２】図１の右側面図である。
【図３】図１の商品陳列ケースの支持体を抜出した状態を示す図である。
【図４】第２の実施の形態例の商品陳列ケースの斜視図である。
【図５】図４の右側面図である。
【図６】第１の組み合わせ形態を示す右側面図である。
【図７】第２の組み合わせ形態を示す斜視図である。
【図８】第３の実施の形態例の商品陳列ケースの斜視図である。
【図９】第４の実施の形態例の商品陳列ケースの斜視図である。
【符号の説明】
１        陳列ケース本体部
２        第２支持体
２ａ      第１支持体
３        内側空間
１０ａ〜１０ｄ    商品陳列ケース
１１、２１１      天板
１２、２１２      後方板
１３、２１３      底板
２２      補強板
３１      後方区画
３２      前方区画
１１１    第１天板突起状レール
１１２    第２天板突起状レール
１１３    第３天板突起状レール
１３１    第１底板突起状レール
１３２    第２底板突起状レール
１３３    第３底板突起状レール
１３４    後方脚
１３５    前方脚
２１４    天板係合溝
２１５    底板係合溝
Ａ１      重量物
Ａ２〜Ａ３  陳列商品
【図１】
2004283453.tif 000003
【図２】
2004283453.tif 000004
【図３】
2004283453.tif 000005
【図４】
2004283453.tif 000006
【図５】
2004283453.tif 000007
【図６】
2004283453.tif 000008
【図７】
2004283453.tif 000009
【図８】
2004283453.tif 000010
【図９】
2004283453.tif 000011